(57)【要約】【課題】  不作用区間に先行して可動シンカーの作用停止を開始することが可能な、可動シンカーを備える横編機を提供する。【解決手段】  シンカー制御カム１１は、（ｃ）に示すように、編針３が歯口５から退く際などに、可動シンカー４も歯口５で編糸受け部４ｂをループに作用させない不作用区間を設ける。編針３が歯口５に進む際には、編糸受け部４ｂをループに作用させて、付き上がりを防ぐとともに、不作用区間に先行して、可動シンカー４を不作用に切替えることもできる。可動シンカー４を不作用区間に先行して不作用にするように切替えると、切れやすい弱い編糸を使用する場合や、過度に編目が詰んでループ長が短い編目を編成する場合などの編成条件に応じ、適切な編成を行うことができる。【選択図】図１
2016141910.tif 000002
【特許請求の範囲】
【請求項１】
針床に並設される針溝に収容される編針間に、歯口に進退する可動シンカーが配置され、
針床に沿って往復走行するキャリッジに搭載されるカムシステムで編針を歯口に進退させ、
歯口側先端に設けるフックにループを保持する編針を歯口に進出させる際には、可動シンカーが歯口に進出して、可動シンカーの歯口側の先端部に設けられる編糸受け部がループに作用し、ループが編針とともに付き上がるのを防ぎ、
編針を歯口から退出させる際に、可動シンカーも先端部が歯口から退出して、歯口で編糸受け部がループに作用するのを停止する不作用区間を設けるように制御するシンカー制御カムをカムシステムに含む、
可動シンカーを備える横編機において、
シンカー制御カムは、キャリッジの走行方向に関し、不作用区間の開始よりも先行する位置で、該位置まで編糸受け部がループに作用する状態を保つ可動シンカーに対し、該位置から該不作用区間の開始まで、該作用を停止するか否かを切替え可能なカムを含む、
ことを特徴とする可動シンカーを備える横編機。
【請求項２】
前記シンカー制御カムは、
前記不作用区間で前記可動シンカーの編糸受け部の作用が停止するように制御する区間カムと、
前記キャリッジの走行方向に関し、不作用区間から離れる先行側と後行側となる両側の位置に設けられ、前記編糸受け部の作用を停止するか否かを切替え可能なカムとして、出没で切替える出没カムとを有する、
ことを特徴とする請求項１記載の可動シンカーを備える横編機。
【請求項３】
前記シンカー制御カムは、
前記キャリッジの走行方向に関し、前記両側の出没カムの中間寄りの位置にそれぞれ支点を有し、各出没カムを支点から延びる腕で支持し、支点回りに揺動する揺動レバーと、
両側の揺動レバーにそれぞれ設けられ、各揺動レバーが支点を中心に揺動して、出没カムを突出させて前記可動シンカーの編糸受け部がループに作用するように付勢するばねと、
ばねの付勢に抗して、両側の揺動レバーを出没カムが没入するように揺動させ、可動シンカーの編糸受け部のループへの作用を停止するように切替え可能な同一の駆動源と、
駆動源からの駆動力を両側の揺動レバーに伝達する伝達機構とを含む、
ことを特徴とする請求項２記載の可動シンカーを備える横編機。
【請求項４】
前記シンカー制御カムは、前記編糸受け部の作用を停止するか否かを切替え可能なカムとして、前記位置と前記不作用区間との間で移動する移動カムを有する、
ことを特徴とする請求項１記載の可動シンカーを備える横編機。
【請求項５】
前記可動シンカーは、前記編糸受け部が前記ループに作用する方向に揺動するようにばねで付勢され、
前記シンカー制御カムは、前記編針の前記歯口への進退方向に進退するジャックを介して可動シンカーを制御し、
ジャックは、進退方向に直交する方向に可動シンカーを駆動して、編糸受け部のループへの作用を停止する方向に揺動させる、
ことを特徴とする請求項１〜４のいずれか一つに記載の可動シンカーを備える横編機。
【発明の詳細な説明】
【技術分野】
【０００１】
本発明は、歯口でループに作用して、ループが編針とともに付き上がるのを防ぐ、可動シンカーを備える横編機に関する。
【背景技術】
【０００２】
従来から、横編機には少なくとも一対の針床が針床間の歯口を挟んで対向するように備えられる。針床の針溝に収容している編針は、針床の長手方向に往復動するキャリッジに搭載するカムシステムで選択的に駆動される。編針の先端に設けられるフックを歯口に進退させると、編糸で編目を形成する編成動作や、歯口を挟む編針間で編目を受け渡しする目移し動作などを行わせることができる。編針間に、歯口に臨むように設けられるシンカーは、編目を形成する際に、歯口で給糸を受けて針床に引込まれながらニードルループ（以下、「新ループ」と記載する）を形成するフックと協働して、歯口でシンカーループを形成する度決めの作用を行う。シンカーとして、揺動変位で先端部分を歯口に進退させることが可能な可動シンカーも用いられる（たとえば、特許文献１〜３参照）。可動シンカーは、先端部分の一部に、フックに保持されるニードルループ（以下、「旧ループ」と記載する）に連なるシンカーループに作用し、フックを歯口に進出する際にニードルループが付き上がるのを防ぐ編糸受け部などと呼ばれる部分を有する。なお、以下の説明では、編目のニードルループやシンカーループを、単に「ループ」と総称する。
【０００３】
特許文献１に開示されている可動シンカーでは、可動シンカーがループに作用する際に、作用する部分の上部が針床間で接触し、歯口を覆う。フックを歯口に進出させて新ループを形成するために編糸の供給を受ける給糸の際には、可動シンカーは、先端部分が歯口から退出する方向に揺動するように制御される。歯口で編糸の供給を受けたフックを針床に引込む際には、可動シンカーは先端部分が歯口に進出する方向に揺動するように制御され、度決め作用に利用される。
【０００４】
特許文献２に開示されている可動シンカーでは、ばね付勢でループを下方に押込むようにして、編成された編地を押し下げることができる。可動シンカーの作用は、フックを歯口に進出させる前にいったん停止され、フックを歯口に進出させる際には再開され、ループが確実に押えられるようにしている。給糸の際には、可動シンカーの作用は停止され、給糸後にはループを押える作用が再開されて、度決めが行われる。
特許文献３に開示されている可動シンカーは、針床の歯口側に固定して設けられる固定シンカーと併用される。可動シンカーは、付き上がり防止の作用を行うけれども、度決めは固定シンカーで行うので、給糸から度決めに至る区間ではシンカーループへの作用を停止する。度決め後は、可動シンカーがループに作用する状態で、制御を終了する。
【先行技術文献】
【特許文献】
【０００５】
【特許文献１】特公平２−１０２６０号公報
【特許文献２】特公平５−８３６５７号公報
【特許文献３】特開２０１３−１３９６４４号公報
【発明の概要】
【発明が解決しようとする課題】
【０００６】
特許文献１〜３に示すような可動シンカーは、旧ループを保持する編針を歯口に進出させる際に付き上がりを防ぐようにループに作用し、編針が歯口から退出して、給糸から度決めに至る新ループを形成する間に、作用を停止する不作用区間が設けられる。しかしながら、編糸として強度が弱く切れやすい糸を使用する場合や、過度に目の詰んだ編目を編成する場合など、編成の条件によっては、不作用区間に先行してシンカーループに可動シンカーを作用させると、糸切れのおそれがある。
【０００７】
本発明の目的は、不作用区間に先行して可動シンカーの作用停止を開始することが可能な、可動シンカーを備える横編機を提供することである。
【課題を解決するための手段】
【０００８】
本発明は、針床に並設される針溝に収容される編針間に、歯口に進退するように揺動する可動シンカーが配置され、
針床に沿って往復走行するキャリッジに搭載されるカムシステムで編針を歯口に進退させ、
歯口側先端に設けるフックにループを保持する編針を歯口に進出させる際には、可動シンカーが歯口に進出して、可動シンカーの歯口側の先端部に設けられる編糸受け部がループに作用し、ループが編針とともに付き上がるのを防ぎ、
編針を歯口から退出させる際に、可動シンカーも先端部が歯口から退出して、歯口で編糸受け部がループに作用するのを停止する不作用区間を設けるように制御するシンカー制御カムをカムシステムに含む、
可動シンカーを備える横編機において、
シンカー制御カムは、キャリッジの走行方向に関し、不作用区間の開始よりも先行する位置で、該位置から該不作用区間の開始まで、編糸受け部がループに作用する状態の可動シンカーの作用を停止するか否かを切替え可能であり、不作用区間の終了よりも後行する位置で、該位置まで編糸受け部がループに作用する状態を保つ可動シンカーに対し、該位置から該不作用区間の開始まで、該作用を停止するか否かを切替え可能なカムを含む、
ことを特徴とする可動シンカーを備える横編機である。
【０００９】
また本発明で、前記シンカー制御カムは、
前記不作用区間で前記可動シンカーの編糸受け部の作用が停止するように制御する区間カムと、
前記キャリッジの走行方向に関し、不作用区間から離れる先行側と後行側となる両側の位置に設けられ、前記編糸受け部の作用を停止するか否かを切替え可能なカムとして、出没で切替える出没カムとを有する、
ことを特徴とする。
【００１０】
また本発明で、前記シンカー制御カムは、
前記キャリッジの走行方向に関し、前記両側の出没カムの中間寄りの位置にそれぞれ支点を有し、各出没カムを支点から延びる腕で支持し、支点回りに揺動する揺動レバーと、
両側の揺動レバーにそれぞれ設けられ、各揺動レバーが支点を中心に揺動して、出没カムを突出させて前記可動シンカーの編糸受け部がループに作用するように付勢するばねと、
ばねの付勢に抗して、両側の揺動レバーを、出没カムが没入するように揺動させ、可動シンカーの編糸受け部のループへの作用を停止するように切替え可能な同一の駆動源と、
駆動源からの駆動力を両側の揺動レバーに伝達する伝達機構とを含む、
ことを特徴とする。
【００１１】
また本発明で、前記シンカー制御カムは、前記編糸受け部の作用を停止するか否かを切替え可能なカムとして、前記位置と前記不作用区間との間で移動する移動カムを有する、
ことを特徴とする。
【００１２】
また本発明で、前記可動シンカーは、前記編糸受け部が前記ループに作用する方向に揺動するようにばねで付勢され、
前記シンカー制御カムは、前記編針の前記歯口への進退方向に進退するジャックを介して可動シンカーを制御し、
ジャックは、進退方向に直交する方向に可動シンカーを駆動して、編糸受け部のループへの作用を停止する方向に揺動させる、
ことを特徴とする。
【発明の効果】
【００１３】
本発明によれば、フックにループを保持する編針を歯口に進出させる際に、ループが編針とともに付き上がるのを防ぐことができる可動シンカーは、先端部に設ける編糸受け部が歯口でループに作用する。シンカー制御カムは、編糸受け部がループに作用する状態を保つ可動シンカーに対し、作用の停止を、編針を歯口から退出させる際に設ける不作用区間で行うとともに、キャリッジの走行方向に関し、不作用区間の開始よりも先行する位置から開始するように切替えることができる。可動シンカーの編糸受け部をループに作用させた後、切れやすい弱い編糸を使用する場合や、過度に編目が詰んでループ長が短い編目を編成する場合などの編成条件に応じ、可動シンカーのループへの作用を停止させる範囲を切替え、適切な編成を行うことができる。
【００１４】
また本発明によれば、不作用区間に設ける区間カムに対し、キャリッジの走行方向の先行側となる出没カムで、可動シンカーの編糸受けのループへの作用を停止するように切替えると、不作用区間まで続けて不作用にすることができる。後行側の出没カムは、キャリッジの走行方向が反転すると先行側となり、不作用区間に先行して編糸受け部の作用を停止するか否かを切替えることができる。
【００１５】
また本発明によれば、シンカー制御カムは、両側の揺動レバーの腕でそれぞれ支持する両側の出没カムを、単一の駆動源で駆動する揺動レバーの揺動で出没させ、可動シンカーの編糸受け部がループに作用する状態を、停止するか否かを切替えることができる。駆動源が単一で、機構を簡略化することができる。
【００１６】
また本発明によれば、シンカー制御カムは、移動カムの位置を移動させて、キャリッジの走行方向に関して先行する位置と不作用区間とで、可動シンカーの編糸受け部がループに作用する状態を停止するか否かを切替えることができる。編成条件に応じて移動カムの移動する位置を変化させることができるので、編地の仕上りの向上や付き上がりの防止などの効果を調整することができる。
【００１７】
また本発明によれば、ジャックが進退して、可動シンカーを編糸受け部がループに作用する状態を停止するように、作用する方向に付勢するばねに抗して駆動すると、ジャックが可動シンカーから受ける反力は進退方向に直交する。可動シンカーを駆動する際に受ける反力が、ジャックを進退させないので、不作用区間に先行する位置で編糸受け部がループに作用する状態を停止するように切替えれば、不作用区間まで作用の停止を維持することができ、シンカー制御カムの構成を簡略化することができる。
【図面の簡単な説明】
【００１８】
【図１】図１は、本発明の実施例１としての可動シンカー４を備える横編機のカムシステム１０の概略的なカム配置を示す正面図、および可動シンカー４の作用と不作用との状態を示す部分的な側面図である。
【図２】図２は、図１の可動シンカー４を駆動する構成を、作用状態と不作用状態とで、編針３とともに示す側面図である。
【図３】図３は、図１の（１）に示す位置で可動シンカー４が作用する状態を示す部分  的な側面断面図である。
【図４】図４は、図１の（２）に示す位置で可動シンカー４が作用する状態を示す部分的な側面断面図である。
【図５】図５は、図１の（３）に示す位置で可動シンカー４が作用する状態を示す部分的な側面断面図である。
【図６】図６は、図１の出没カム１３，１４を出没させるシンカー制御カム１１の構成を示す平面図である。
【図７】図７は、図１の出没カム１３，１４を出没させるシンカー制御カム１１の構成を示す簡略化した裏面図である。
【図８】図８は、本発明の実施例２としての可動シンカー４を備える横編機のカムシステム３０の概略的なカム配置を示す正面図である。
【図９】図９は、図８の（４）に示す位置で可動シンカー４が作用する状態を示す部分的な側面断面図である。
【発明を実施するための形態】
【００１９】
以下、図１から図７で、また図８および図９で、本発明の実施例１および実施例２としての可動シンカー４を備える横編機の構成および動作をそれぞれ示す。各実施例では、対応する部分には同一の参照符を付して、重複する説明を省略する場合がある。また、説明対象の図には記載されていない部分について、他の図に記載される参照符を付して言及する場合がある。
【実施例１】
【００２０】
図１は、（ａ）で本発明の実施例１としての可動シンカー４を備える横編機のカムシステム１０の概略的なカム配置、（ｂ）（ｃ）で可動シンカー４の作用と不作用との状態をそれぞれ示す。（ｂ）（ｃ）に示すように、編針３は、図示を省略する針床に並設される針溝に収容される。編針３間に配置される可動シンカー４は、先端部４ａが歯口５に進退するように揺動する。本実施例では、可動シンカー４とともに、後述するような固定シンカー６も設けられる。針床に沿って往復走行するキャリッジに搭載されるカムシステム１０で編針３を歯口５に進退させる。以下、キャリッジが左方に走行する場合について説明し、図の左側が先行側、右側が後行側となるけれども、キャリッジの走行方向が右方になる場合は、図の右側が先行側、左側が後行側となるだけで、同様の動作を行う。
【００２１】
カムシステム１０は、シンカー制御カム１１を含む。シンカー制御カム１１は、（ｂ）に示すように、歯口５側先端に設けるフック３ａに、後述するループ７を保持する編針３を歯口５に進出させる際には、可動シンカー４の先端部４ａが歯口５に進出する方向に揺動して、先端部４ａに設ける編糸受け部４ｂでループ７に作用してループ７が編針３とともに付き上がるのを防ぐ。また、（ｃ）に示すように、編針３を歯口５から退出させる際などに、可動シンカー４も先端部４ａが歯口５から退出する方向に揺動すると、歯口５で編糸受け部４ｂのループ７への作用が停止して不作用となる不作用区間が設けられる。
【００２２】
図１（ａ）に示すように、カムシステム１０は、編針３を駆動するバット３ｂを案内するニードルレイジングカム１０ａ、天山カム１０ｂ、度山カム１０ｃ，１０ｄを有する。また、編針３はフック３ａをスライダー３ｅのタング３ｆで開閉する複合針であり、カムシステム１０は、スライダー３ｅを制御するバット３ｇを案内するスライダーカム１０ｅを有する。さらにシンカー制御カム１１は、区間カム１２と、出没カム１３，１４とを含む。区間カム１２は、可動シンカー４を駆動する際に介在するシンカージャック９に設けるバット９ｂに当接して、シンカージャック９を歯口５に進出する方向に駆動する。区間カム１２は、図示のように、左端１２ａと右端１２ｂとの間に移動範囲が設定されている。区間カム１２は、駆動する際にバット９ｂから受ける反力でキャリッジの走行方向に関して後行側の端部、図では右端が移動範囲の右端１２ｂで停止するまで移動する。この位置まで移動した区間カム１２は、山型のカム形状に沿ってシンカージャック９のバット９ｂを歯口５側に駆動する。山型のカム形状で上昇斜面が終了すると可動シンカー４はループ７への作用を停止するので、区間カム１２は、フック３ａが給糸口８から編糸の供給を受ける給糸の位置までに編糸受け部４ｂのループ７への作用を停止させ、不作用区間を開始させることができる。本実施例では、不作用区間が開始すると、区間カム１２による駆動が終了しても、可動シンカー４の不作用の状態が継続する。
【００２３】
ただし、本実施例のシンカー制御カム１１は、シンカーカム１１ａも含む。シンカーカム１１ａは、キャリッジの走行方向に関して不作用区間よりも後行側の位置に、可動シンカー４の編糸受け部４ｂがループ７に作用する状態となるように制御する作用カム部１１ｃを有する。作用カム部１１ｃによって、後行側に抜ける可動シンカー４は、作用の状態を保つ。先行側に設けられる作用カム部１１ｂは、先行側から導入される可動シンカー４が作用を停止する状態であっても、作用の状態に切替え、作用の状態で導入される可動シンカー４に対しては、作用の状態を保つようにする。ばね付勢で、可動シンカー自体が作用の状態を保つ場合は、作用カム部１１ｂ，１１ｃを設けなくてもよい。
【００２４】
キャリッジの走行方向に関し、区間カム１２による不作用区間の開始よりも先行する位置、図１（ａ）では（１）で示す位置からバット９ｂへの駆動が開始可能なように、出没カム１３が設けられる。図のように出没カム１３を突出させると、該位置から出没カム１３の山型のカム形状に沿ってシンカージャック９のバット９ｂを駆動し、上昇斜面が終了して可動シンカー４のループ７への作用を停止する位置から該不作用区間の開始まで、編糸受け部４ｂのループ７への作用を停止する状態となる。出没カム１３を没入させると、可動シンカー４の編糸受け部４ｂがループに作用する状態を継続するように切替られる。キャリッジは往復走行するので、キャリッジが右方に走行する場合の先行側となる右側の位置にも、出没カム１４が設けられる。
【００２５】
すなわち、シンカー制御カム１１は、不作用区間で可動シンカー４の編糸受け部４ｂのループへの作用が停止して不作用となるように制御する区間カム１２と、出没カム１３，１４とを有する。出没カム１３，１４は、キャリッジの走行方向に関し、区間カム１２が可動シンカー４を不作用となるように制御する不作用区間から離れる先行側と後行側となる両側の位置に設けられる。
【００２６】
出没カム１３を設ける位置は、キャリッジの走行方向に関し、作用カム部１１ｂよりも後行し、区間カム１２で可動シンカー４を不作用にする駆動を開始する位置に先行すればよい。本実施例では、歯口５に進出した編針３のフック３ａに向けて給糸口８から編糸を供給する給糸の位置までに、区間カム１２で不作用区間を開始している。本実施例のように後述する固定シンカー６を併用して、固定シンカー６で度決めを行う場合は、度山カム１０ｄが編針３のバット３ｂを駆動し、新ループをフック３ａで引込み始める糸喰いの位置までに、区間カム１２で不作用区間となるように、移動範囲を設定してもよい。出没カム１３を設ける位置は、区間カム１２の後行側の端部が移動範囲の右端１２ｂで停止する位置よりも先行する位置まで可能になる。後述する図３〜図５の説明では、出没カム１３を、（１）の位置とともに、（２）、（３）の位置に設ける場合についても説明する。ただし、出没カム１３を（２）、（３）の位置に設ける場合は、区間カム１２を移動させないで、移動範囲の左端１２ａ側と右端１２ｂ側との両側に設け、出没可能にしておき、先行側を没、後行側を出にしておく。すなわち、（２）の位置に出没カム１３を設ける場合は、先行側の区間カム１２が没で続く。（３）の位置はカムシステム１０の中心なので、先行側で没の区間カム１２と後行側で出の区間カム１２の中間に、単一の出没カム１３を設ければよい。（２）と（３）との間で、先行側の区間カム１２を設ける位置で可動シンカー４の作用を停止するように切替える場合は、先行側の区間カム１２を出没カム１３として兼用し、出没カム１３を設けないようにすることもできる。
【００２７】
図２は、図１の可動シンカー４を駆動する構成を、（ａ）の作用状態と（ｂ）の不作用状態とで、編針３とともに簡略化して示す。後述する針床１は、歯口５側が高く、歯口５から離れると低く傾斜する。ただし、図２以下の図では、説明の便宜上、針床１が水平な状態として説明する。
【００２８】
本実施例の編針３は、歯口５側の先端にフック３ａを有する針本体３ｃと、尾端付近にバット３ｂを有し、先端が針本体３ｃの尾端付近に結合されるニードルジャック３ｄと、スライダー３ｅとを含む。可動シンカー４は、先端部４ａに付け上がりを防ぐためにループを押える編糸受け部４ｂを有し、歯口５から退く方向である後方に先端部４ａから間隔をあけて支承部４ｃを有する。可動シンカー４は、支承部４ｃからさらに後方へ延びてから歯口５側に折返すばね部４ｄと、支承部４ｃから後方に間隔をあけて設けられる駆動部４ｅとを、さらに有する。本実施例の可動シンカー４では、ばね部４ｄが一体的に形成されているけれども、別体の線ばねを組合せてもよい。シンカージャック９は、駆動カム部９ａと、バット９ｂとを有する。
【００２９】
図２（ａ）に示すようなシンカージャック９の後方への移動では、駆動カム部９ａが可動シンカー４の駆動部４ｅを下方に押圧しない。可動シンカー４の先端部４ａは、ばね部４ｄによる付勢で、歯口５に進出し、編糸受け部４ｂがループに作用可能な作用状態となる。図２（ｂ）に示すように、シンカージャック９を歯口５側に進む方向である前方に移動させると、駆動カム部９ａが可動シンカー４の駆動部４ｅを、ばね部４ｄの付勢に抗して下方に押圧する。可動シンカー４は、支承部４ｃを支点として反時計回り方向に揺動し、編糸受け部４ａがループに作用することを停止する不作用状態となる。
【００３０】
本実施例では、シンカージャック９が歯口５側に進むと、可動シンカー４が不作用となるように駆動する。ばね部４ｄは、可動シンカー４を作用する方向に付勢するので、不作用へは、ばね部４ｄの付勢に抗して駆動する。不作用状態では、シンカージャック９の駆動カム部９ａが可動シンカー４の駆動部４ｅから受ける反力は進退方向に直交する図の上向きとなる。駆動カム部９ａが受ける反力は、シンカージャックの進退方向に直交するので、シンカージャック９を進退させない。ただしこの場合の直交は、角度が９０度に近く、反力の進退方向の成分が進退方向に垂直な成分に比較して十分に小さい範囲であればよい。出没カム１３を突出させて不作用区間の先行側の位置で可動シンカー４を不作用に切替えれば、不作用区間まで不作用の状態を維持することができ、シンカー制御カム１１は、不作用状態を維持するためのカムなどを設ける必要がないので、構成を簡略化することができる。
【００３１】
図３〜５は、図１の（１）、（２）、（３）に示す位置を代表させて、可動シンカー４が作用する状態をそれぞれ示す。針床１は水平な状態で示し、本来は鉛直方向に延びる歯口中心線５ａを傾斜させて示す。針床１の基板２０には、ニードルプレート２１を挿入する溝が形成される。ニードルプレート２１は、基板２０に、紙面に垂直な方向に一定の間隔をあけて並設され、ニードルプレート２１間は、針溝２となって編針３を収容する。基板２０にニードルプレート２１が挿入されると、歯口５側先端付近の天歯２２となるワイヤとともに、固定シンカー６およびニードルプレート２１を固定するワイヤ２３およびワイヤ２４，２５を紙面に垂直な方向にそれぞれ挿通させる。可動シンカー４の上方には、スライダー３ｅが歯口５側に進出する際に上方を押える帯金２６も設けられる。針床１の歯口５側の先端には、固定シンカー６が設けられ、新ループを形成する際の度決め時は、可動シンカー４を不作用にする必要がある。ただし、出没カム１３を設ける位置は、図１（ａ）の（１）、（２）、（３）に示す位置に限らず、区間カム１２に先行する位置であればよい。
【００３２】
図３で、編針３の針本体３ｃのバット３ｂは、図１の（１）の位置であり、ニードルレイジングカム１０ａによる編針３の歯口５に進出する駆動は開始されていない。出没カム１３を突出させると、可動シンカー４の編糸受け部４ｂは、ループ７への作用を停止する不作用の状態となる。シンカーカム１１ａの作用カム部１１ｂから（１）の位置までは、編糸受け部４ｂでループ７を押える作用の状態なので、編地が浮きにくくすることができる。出没カム１３を突出させて、（１）の位置でバット３ｇの駆動を開始させると、編針３が歯口５に進出する前に、可動シンカー４が不作用に切替えられので、切れやすい弱い編糸を使用する場合や、過度に編目が詰んでループ長が短い編目を編成する場合に、糸切れのおそれを低減することができる。
【００３３】
図４では、図１の（２）の位置で、編針３はニードルレイジングカム１０ａによるバット３ｂへの駆動で、フック３ａが歯口５側に進出を開始している。この位置まで可動シンカー４を作用させると、フック３ａに保持する旧ループ７ａの直前に形成された先行ループ７ｄが、確実に針本体３ｃでフック３ａの下側の位置に留まる。出没カム１３を突出させて、（２）の位置でバット３ｇの駆動を開始させ、山型のカム形状に沿って可動シンカー４を不作用に切替えても、（２）の位置までの作用で、先行ループ７ｄがフック３ａ先端の湾曲の外側に沿って移動する回り込みを防ぐことができる。
【００３４】
図５では、図１の（３）に示す位置で、編針３のフック３ａは歯口５に最も進出し、（フック３ａに保持されていた旧ループ７ａは（２）から（３）の位置までの途中でクリアされており、スライダー３ｅのタング３ｆに移行している。編針３として、べら針を使用する横編機であれば、旧ループ７ａはべらを開いて、フック３ａから針幹に移動する。出没カム１３を突出させて、（３）の位置でバット３ｇの駆動を開始させ、山型のカム形状に沿って可動シンカー４を不作用に切替えれば、可動シンカー４の作用で、付き上がりを防ぎ、旧ループ７ａを確実にクリアさせることができる。
【００３５】
以上のように出没カム１３を突出させない場合は、不作用区間に設ける区間カム１２で、可動シンカー４を不作用となるように切替えることができる。切れやすい弱い編糸を使用する場合や、過度に編目が詰んでループ長が短い編目を編成する場合などの編成条件に応じ、出没カム１３で、不作用区間よりも先行して、可動シンカー４の作用を停止する区間を設けることができる。
【００３６】
図６および図７は、図１の出没カム１３，１４を出没させるシンカー制御カム１１の主要部分の構成を、構成部分を支持するブラケットなどを省略して示す。図６は、歯口５側から見た構成、図７は図１の裏面側から見た構成を、それぞれ示す。
シンカー制御カム１１は、揺動レバー１５，１６と、ばね１７，１８と、駆動源１９とを含む。ただし、図６（ａ）では、ばね１７，１８の図示を省略している。揺動レバー１５，１６は、キャリッジの走行方向に関し、両側の出没カム１３，１４の中間寄りの位置にそれぞれ支点１５ｂ，１６ｂを有し、各出没カム１３，１４を支点１５ｂ，１６ｂから延びる腕１５ａ，１６ａで支持し、支点１５ｂ，１６ｂ回りに揺動する。ばね１７，１８は、図６（ｂ）に示すように、両側の揺動レバー１５，１６の腕１５ａ，１６ａの先端付近と出没カム１３，１４との間にそれぞれ設けられ、各揺動レバー１５，１６が支点１５ｂ，１６ｂを中心に揺動して、出没カム１３，１４を突出させて、可動シンカー４の先端部４ａがループ７に作用するように付勢する。単一の駆動源１９は、両側の揺動レバー１５，１６を、出没カム１３，１４が没入するように揺動させて、可動シンカー４の先端部４ａがループ７に不作用となるように切替える駆動を行う。本実施例の駆動源１９はソレノイドであり、駆動源１９の出力を伝達する伝達機構となる揺動片１９ａおよび摺動板カム１９ｂを介して、揺動レバー１５，１６を駆動する。
【００３７】
本実施例では、駆動源１９としてのソレノイドのプランジャからの出力で揺動片１９ａが揺動し、摺動板カム１９ｂが図の左右方向に移動する。揺動レバー１５，１６には、支点１５ｂ，１６ｂから摺動板カム１９ｂ側に延びる駆動部１５ｃ，１６ｃが設けられ、先端に設けられるホロワ１５ｄ、１６ｄが摺動板カム１９ｂに設けられるカム面１９ｃの凸部に当接している。図６（ａ）に示すように、摺動板カム１９ｂが図の右方に移動すると、揺動レバー１５，１６はばね１７，１８の付勢に抗して、支点１５ｂ，１６ｂを中心とする反時計回り方向、時計回り方向にそれぞれ揺動し、出没カム１３，１４は没入状態となる。図６（ｂ）に示すように、摺動板カム１９ｂが図の左方に移動すると、揺動レバー１５，１６はばね１７，１８による付勢で、ホロワ１５ｄがカム面１９ｃの凹部に当接するまで、揺動レバー１５，１６は支点１５ｂ，１６ｂを中心とする時計回り方向、反時計回り方向にそれぞれ揺動し、出没カム１３，１４は突出状態となる。なお、カム面１９ｃの形状を変えて、ホロワ１５ｄ，１６ｄの一方が凹部、他方が凸部に当接するようにすれば、出没カム１３，１４の一方を突出、他方を没入に切替えることもできる。
【００３８】
出没カム１３，１４としては、キャリッジの走行方向に関して先行側だけ出没させ、後行側は没入させておくこともできる。ただし、出没カム１４は、区間カム１２よりも後行側であるので、出没を切替えても、すでに不作用状態になっている可動シンカー４には影響しない。したがって、出没カム１３，１４を同時に出没するように切替えても、可動シンカー４を作用から不作用に切替えるのは先行側のみであり、後行側は影響しない。
【００３９】
駆動源１９としてモーターを使用し、摺動板カム１９ｂにラックを設け、モーターの出力軸にピニオンを取付けて、摺動板カム１９ｂを駆動するなど、他の構成でも同様の機能を実現することができる。また、駆動源１９を各出没カム１３，１４に設ければ、区間カム１２に先行する側の出没カム１３，１４のみ出没させることもできる。
【実施例２】
【００４０】
図８は、本発明の実施例２としての可動シンカー４を備える横編機のカムシステム３０の概略的なカム配置を示す。カムシステム３０が含むシンカー制御カム３１は、図１のシンカー制御カム１１の区間カム１２および出没カム１３，１４ではなく、移動カム３２を有する。本実施例の移動カム３２は、区間カム１２が設けられる不作用区間よりも広い区間を不作用区間とすることが可能な移動機構と駆動源とを備えており、キャリッジの走行方向に関して不作用区間に先行する位置まで移動可能である。
本実施例の不作用区間は、度山カム１０ｄが編針３のバット３ｂを駆動し、新ループをフック３ａで引込み始める糸喰いの位置を含む区間として設定される。図１の区間カム１２と同様な位置を不作用区間としてもよい。不作用区間に先行して移動可能な位置の代表を（１）、（２）、（３）、（４）で示す。移動カム３２を不作用区間に先行する位置と不作用区間に移動させれば、可動シンカー４の編糸受け部４ｂのループ７への作用を停止させる制御を切替えることができる。移動カム３２の位置を移動させるので、使用する編糸や形成する編目などの編成条件に応じて、編地の仕上りの向上や付き上がりの防止などの効果を調整することができる。
【００４１】
図９は、図８の（４）に示す位置で、歯口５に進出させた後で退出を開始したフック３ａに対し、給糸口８から編糸を供給して給糸させる位置でも可動シンカー４を作用させている状態を示す。図８の（１）、（２）、（３）の位置での可動シンカー４の作用状態は、図３、図４、図５とそれぞれ同様である。本実施例の可動シンカー４は、給糸を妨げないので、図１でも図８の（４）に相当する位置での給糸の際にも、旧ループ７ａを編糸受け部４ｂで押えるように作用させておくことができる。（３）〜（４）のように、歯口５に進出したフック３ａを歯口５から退出させる際にも可動シンカー４を作用させれば、旧ループ７ａがスライダー３ｅのタング３ｆからこぼれて、フック３ａ内に戻らないようにすることができる。またべら針では、旧ループ７ａのクリア時に開いたべらの先端が旧ループ７ａに干渉しないようにすることができる。しかしながら、可動シンカー４の形状によって、給糸に支障がある場合は、可動シンカー４を不作用にする必要がある。また、固定シンカー６を設けずに、可動シンカー４を度決めにも使用する場合は、給糸や糸喰い時にいったん可動シンカー４を不作用にして、度決めの前に可動シンカー４を作用させることで、ループ７を確実に押えるようにする。
【００４２】
本発明は、可動シンカー４に付き上がり防止の機能があれば、形状や駆動方式、ばね付勢の有無に関係なく適用することができる。可動シンカー４が作用から不作用に切替えても、不作用の状態を維持することができない場合は、不作用の状態を続けるように、カムやストッパなどを追加すればよい。また、本発明は、編目形成の場合だけでなく、目移しの場合も適用することができる。編針は、スライダー３ｅでフック３ａを開閉する複合針ではなく、べらでフックを開閉するべら針を使用することもできる。針床１は、歯口５を挟んで対向するように前後一対をなす２枚ベッドの横編機ばかりではなく、上下二段に設けられる４枚ベッドの横編機や、補助ベッドが設けられる横編機にも、本発明を適用することができる。
【符号の説明】
【００４３】
３  編針
３ａ  フック
４  可動シンカー
４ａ  先端部
４ｂ  編糸受け部
４ｃ  支承部
４ｄ  ばね部
４ｅ  駆動部
５  歯口
６  固定シンカー
７  ループ
８  給糸口
９  シンカージャック
９ａ  駆動カム部
９ｂ  バット
１０，３０  カムシステム
１１，３１  シンカー制御カム
１１ａ  シンカーカム
１１ｂ，１１ｃ  作用カム部
１２  区間カム
１３，１４  出没カム
１５，１６  揺動レバー
１７，１８  ばね
１９  駆動源
【図１】
2016141910.tif 000003
【図２】
2016141910.tif 000004
【図３】
2016141910.tif 000005
【図４】
2016141910.tif 000006
【図５】
2016141910.tif 000007
【図６】
2016141910.tif 000008
【図７】
2016141910.tif 000009
【図８】
2016141910.tif 000010
【図９】
2016141910.tif 000011